(57)【要約】      （修正有）【課題】簡便に組み立てと折り畳みができ、底抜けが生じない箱を提供する。【解決手段】箱１Ａが、前面板２、前面板２に対向する背面板３、前面板２の側辺と背面板３の側辺の間に設けられた側面板４、前面板２の底辺２ｑと背面板３の底辺３ｑに一体に連接している底板５ａ、５ｂを有し、底板５ａ、５ｂが、互いに平行な２本の折線Ｌ1、Ｌ2を有し、該折線Ｌ1、Ｌ2が、前面板２の底辺２ｑ又は背面板３の底辺３ｑに対して斜行している。【選択図】図１Ｂ
2012180120.tif 000002
【特許請求の範囲】
【請求項１】
前面板、前面板に対向する背面板、前面板の側辺と背面板の側辺の間に設けられた側面板、前面板の底辺と背面板の底辺に一体に連接している底板を有し、
底板が、互いに平行な２本の折線を有し、該折線が、前面板の底辺又は背面板の底辺に対して斜行している箱。
【請求項２】
前記平行な２本の折線の一方が山折で他方が谷折である請求項１記載の箱。
【請求項３】
箱の胴部が略８＋２ｎ角柱形状（ｎは整数）である請求項１又は２記載の箱。
【請求項４】
底板に窓が開口している請求項１〜３のいずれかに記載の箱。
【請求項５】
前記平行な２本の折線と、前面板の底辺又は背面板の底辺となす角度が、５°以上４５°以下である請求項１〜４のいずれかに記載の箱。
【請求項６】
前記平行な２本の折線と、前面板の底辺又は背面板の底辺となす角度が、５°以上３０°以下である請求項５記載の箱。
【請求項７】
前記平行な２本の開始端が底板の角隅部である請求項１〜６のいずれかに記載の箱。
【発明の詳細な説明】
【技術分野】
【０００１】
本発明は、簡便に組み立てと折り畳みをすることのできる箱に関する。
【背景技術】
【０００２】
商品の包装用の箱として、扁平に折り畳んだ状態から容易に組み立てられるものとして、円筒状あるいは６角柱状の箱で対向する底フラップ同士を接着したもの（特許文献１）、インターロックタイプの四角柱状の箱（特許文献２）、クラッシュロックタイプの８角柱状の箱（特許文献３）などが提案されている。
【０００３】
しかしながら、従来の底フラップ同士を接着した箱（特許文献１）は、一旦箱に組み上げた後は扁平に折り畳んだ状態に戻すことができず、廃棄時に嵩張るなどの問題がある。
【０００４】
これに対し、インターロックタイプの箱（特許文献２）やクラッシュロックタイプの箱（特許文献３）は、折り畳んだ状態から組み立てた状態に変形できると共に組み立てた状態から折り畳んだ状態に戻すこともできる。
【０００５】
しかしながら、インターロックタイプの箱（特許文献２）やクラッシュロックタイプ（特許文献３）の箱は、底部のフラップによるロックが外れて底が抜ける場合があり、さらに、クラッシュロックタイプ（特許文献３）の箱は底部の構造が複雑で組み立ての作業性が悪い。
【先行技術文献】
【特許文献】
【０００６】
【特許文献１】特開平１１-９１７６０号公報
【特許文献２】特開２００４−２６２５３号公報
【特許文献３】特開２００４−３１５０１２号公報
【発明の概要】
【発明が解決しようとする課題】
【０００７】
上述の従来技術に対し、本発明は、簡便に組み立てと折り畳みができ、底抜けが生じない箱を提供することを目的とする。
【課題を解決するための手段】
【０００８】
本発明者は、箱の前面板と底板と背面板とが、一つの部材から形成されていることによりあるいは接着により、一体に繋がっている場合に、底板に、互いに平行な２本の折線を、前面板又は背面板の底辺に対して斜めに設けると、上述の目的を達成できることを見出した。
【０００９】
即ち、本発明は、前面板、前面板に対向する背面板、前面板の側辺と背面板の側辺の間に設けられた側面板、前面板の底辺と背面板の底辺に一体に連接している底板を有し、
底板が、互いに平行な２本の折線を有し、該折線が、前面板の底辺又は背面板の底辺に対して斜行している箱を提供する。
【発明の効果】
【００１０】
本発明の箱によれば、底板が前面板の底辺と背面板の底辺に一体に連接しているので、インターロックタイプの箱やクラッシュロックタイプの箱のように、底が抜けることが無い。
【００１１】
また、底板に、互いに平行な２本の折線が、前面板の底辺又は背面板の底辺に対して斜行して設けられているので、底板が前面板と背面板に一体に連接しているにもかかわらず、扁平に折り畳むことができ、さらに、組み立てと折り畳みを極めて簡便にほぼワンタッチで行うことができる。
【図面の簡単な説明】
【００１２】
【図１Ａ】図１Ａは、実施例の箱１Ａの組み立てた状態の斜視図（ａ）と底面図（ｂ）である。
【図１Ｂ】図１Ｂは、実施例の箱１Ａを折り畳みかけた状態の斜視図（ａ）と底面図（ｂ）である。
【図１Ｃ】図１Ｃは、実施例の箱１Ａを折り畳んだ状態の斜視図（ａ）と底面図（ｂ）である。
【図２Ａ】図２Ａは、実施例の箱１Ａの展開図である。
【図２Ｂ】図２Ｂは、実施例の箱１Ａの製造方法の説明図である。
【図２Ｃ】図２Ｃは、実施例の箱１Ａの製造方法の説明図である。
【図２Ｄ】図２Ｄは、実施例の箱１Ａの製造方法の説明図である。
【図３Ａ】図３Ａは、折線の形成位置の説明図である。
【図３Ｂ】図３Ｂは、折線の形成位置の説明図である。
【図４Ａ】図４Ａは、８角柱状の箱１Ａによって円筒状の内容物がホールドされる状態の説明図である。
【図４Ｂ】図４Ｂは、４角柱状の箱１Ｂによって円筒状の内容物がホールドされる状態の説明図である。
【図４Ｃ】図４Ｃは、タイト型の箱１Ｃによって円筒状の内容物がホールドされる状態の説明図である。
【図５】図５は、実施例の箱１Ｄの斜視図（ａ）と底面図（ｂ）である。
【図６Ａ】図６Ａは、実施例の箱１Ｅの展開図である。
【図６Ｂ】図６Ｂは、実施例の箱１Ｅの製造方法の説明図である。
【図６Ｃ】図６Ｃは、実施例の箱１Ｅを押し潰した状態の斜視図（ａ）と底面図（ｂ）である。
【図７】図７は、実施例の箱１Ｅの組み立てた状態の斜視図（ａ）と底面図（ｂ）である。
【図８Ａ】図８Ａは、実施例の箱１Ｆの組み立てた状態の斜視図（ａ）と底面図（ｂ）である。
【図８Ｂ】図８Ｂは、実施例の箱１Ｆを折り畳んだ状態の斜視図（ａ）と底面図（ｂ）である。
【発明を実施するための形態】
【００１３】
以下、図面を参照しつつ本発明を詳細に説明する。なお、各図中、同一符号は、同一又は同等の構成要素を表している。
【００１４】
図１Ａは、本発明の実施例の箱１Ａの組み立てた状態の斜視図（ａ）と底面図（ｂ）であり、図２Ａは、その展開図である。
【００１５】
この箱１Ａは、板紙等から形成された矩形の前面板２、前面板２に対向する同形の背面板３、前面板２の両側辺２ｐの夫々において背面板３の側辺３ｐとの間に設けられた側面板４、前面板２の底辺２ｑと背面板３の底辺３ｑの双方に一体に連接している矩形の底板５を有する。ここで、底板５は、後述する箱１Ａの組立方法のように、前面板２の底辺２ｑから延設された前面板側底フラップ５ａと、背面板３の底辺３ｑから延設された背面板側底フラップ５ｂとが接着剤で固定されることにより一体化したものである。図１Ａ（ｂ）において、薄く塗りつぶした領域がこれらのフラップ５ａ、５ｂを一体化するための接着剤１１の塗布領域である。
【００１６】
側面板４は、前面板２の左右両側のそれぞれにおいて、３つの面４ａ、４ｂ、４ｃが連接しており、その全体の幅ｗ1が底板の前後方向の幅ｗ2より長いので、箱１Ａの胴部が８角柱形状となっている。側面板４は、底板５の折り畳みを可能とするため、底板５と離間している。
【００１７】
前面板２の上辺２ｒには蓋板６が連接し、蓋板６には、前面板２の上辺２ｒの反対側の辺に差込片７が連接している。
また、背面板３の上辺２ｒには、背面フラップ８が連接している。
【００１８】
この箱１Ａにおいては、底板５に、互いに平行な２本の折線Ｌ1、Ｌ2を有し、これらの折線Ｌ1、Ｌ2が、前面板２の底辺２ｑ又は背面板３の底辺３ｑに対して斜行している。図２Ａの展開図において、平行な２本の折線のうち一方の折線Ｌ1は山折線で、他方の折線Ｌ2は谷折線である。このため、図１Ｂに示すように、蓋板６を開き、前面板２と背面板３との間を押し潰すように力をかけると、折線Ｌ1の折れ山が上方に突出し、折線Ｌ2の折れ山が下方に突出し、図１Ｃに示すように、前面板２と背面板３とが左右方向にずれた状態で扁平に折り畳まれる。反対に、折り畳まれた箱を箱に組み立てた状態にすることも容易である。したがって、この箱１Ａによれば、ほぼワンタッチで箱の組み立てと折り畳みを行うことが可能となる。
【００１９】
ここで、箱１Ａが、より扁平に折り畳まれるようにするためには、折線Ｌ1が前面板２の底辺２ｑとなす角度θ1及び折線Ｌ2が背面板３の底辺３ｑとなす角度θ2をそれぞれ５°以上４５°以下とすることが好ましく、５°以上３０°以下とすることがより好ましい。
【００２０】
また、折線Ｌ1、Ｌ2の形成位置に関しては、図２Ａに示すように、底板５の対角線Ｌpと前面板２の底辺２ｑ又は背面板３の底辺３ｑとがなす角を二等分する線を折線Ｌ1、Ｌ2とし、折り畳んだ状態で前面板２と背面板３との上下方向のズレをなくすことが好ましい。この他、折り畳んだ状態で前面板２と背面板３との上下方向のズレをなくすためには、図３Ａに示すように、前面板２に連接する底板５の辺５ｆと、背面板３に連接する底板の辺５ｇとが重なるように、底板５に折線Ｌ1、Ｌ2を形成すればよい。なお、図３Ｂに示すように、前面板２や背面板３と連接しない底板５の側辺５ｈの中点を通るようにＬ1、Ｌ2を形成すると、底板５が長方形の場合には、前面板２に連接する底板５の辺５ｆと、背面板３に連接する底板の辺５ｇとに僅かなズレが生じるが、これらの辺５ｆ、５ｇが厳密に重ならなくても、箱は折り畳むことができる。
【００２１】
なお、図２Ａにおいて、背面板側底フラップ５ｂの二点鎖線で示した折線Ｌ1は、前面板側底フラップ５ａと背面板側底フラップ５ｂとを貼り合わせて底板５を形成した場合に、底板５が有することとなる前面板側底フラップ５ａ由来の折線Ｌ1を示している。即ち、背面板側底フラップ５ｂには折線Ｌ2のみが形成されているが、背面板側底フラップ５ｂは、底板５とほぼ同様の大きさを有する。これにより背面板側底フラップ５ｂを底板５のほぼ全面に配置して組立状態で底板５の内面に段差ができることを防止することができ、底板形状を安定化させることもできる。
【００２２】
また、図２Ａの展開図において、前面板側底フラップ５ａでは、該前面板側底フラップ５ａの前面板２の底辺２ｑに対向する縁辺５ｃが、折線Ｌ1と平行になるように他の3辺に対し斜行しており、前面板側底フラップ５ａと背面板側底フラップ５ｂとを一体化させた状態で、縁辺５Ｃが折れ線Ｌ2の位置にほぼ重なるように設けられている。こうすることで、折れ線Ｌ2ではフラップ一枚の折り曲げとなり、折り曲げ位置が縁辺５ｃで規定されることから、箱１Ａの折り畳みが簡単且つ確実になる。
【００２３】
また、この箱１Ａによれば、底板５が、前面板２の底辺２ｑから延設された前面板側底フラップ５ａと、背面板３の底辺３ｑから延設された背面板側底フラップ５ｂとが接着剤１１で固定されることにより一体化したものであるため、箱に内容物を収容しても底板５が抜けることはない。
【００２４】
さらに、図４Ａに示すように、箱１Ａに収容した内容物３０の外形が円筒状であっても、この箱１Ａによれば胴部が８角柱状であるため、胴部が４角柱状の箱１Ｂ（図４Ｂ）や対向する２曲面からなる箱１Ｃ（図４Ｃ）に比して、８つの板面により内容物３０の表面を面で押さえ、内容物３０を十分にホールドすることが可能となる。したがって、箱１Ａ内で内容物３０が不用にがたついたり、回転したりすることを防止できる。そこで、例えば、内容物３０の底部にある製品表示を箱の外部から観察できるように、図５に示す箱１Ｄのように、底板５の一部に窓９を開けたり、また、内容物３０のデザインを箱の外側から観察できるように、前面板２の一部を透明プラスチックシート１０で形成すると、内容物３０の箱詰めから店頭で陳列されるまでの搬送過程の如何に関わらず、底板５の窓９から内容物表示を確認し、箱の正面側から内容物３０のデザインを観察することが可能となる。
【００２５】
また、箱の胴部を８角柱状にすることにより、４角柱状にする場合に比して、箱が落下したときに胴部の角部が受ける衝撃力を緩和することができる。
【００２６】
なお、図４Ｂの４角柱状の箱１Ｂや図４Ｃの曲面で形成された箱１Ｃにおいても、底板５に、互いに平行な２本の折線を形成し、側面板４と底板５とを離間させ、胴部を構成する板面に折線を形成することにより、組み立てと折り畳みを極めて簡便にほぼワンタッチで行うことができる。
【００２７】
また、胴部の形状に関しては、例えば胴部が６角柱状であると底面を折り畳んだとき、側面に辺以外の位置での折り畳みが必要となることから、デザインや強度維持の点で、箱の胴部を８＋２ｎ角柱形状（ｎは整数）、即ち、前面板と背面板と側面板の面数の合計を８＋２ｎ（ｎは整数）個とすることが好ましい。
【００２８】
図１Ａの箱１Ａは、図２Ａに示した展開図から次のようにして製造することができる。
まず、図２Ａに示した展開図の背面板側底フラップ５ｂにおいて折線Ｌ2を、図２Ｂに示すように谷折にして折れ山を下方に突出させ、前面板側底フラップ５ａにおいて前面板２の底辺２ｑを谷折にしてそのフラップ５ａを前面板２に重ねる。
【００２９】
次に、図２Ｃに示すように、前面板側底フラップ５ａにおいて折線Ｌ1を山折する。そして、前面板側底フラップ５ａと前面板側底フラップ５ａとの重ね合わせ領域に接着剤１１を塗布し、側面板ののりしろ片４ｄにも接着剤１１を塗布し、図２Ｄに示すように、貼り合わせる。
これにより前面板２と背面板４とが左右方向にズレ、底板側から見て底板５が２本の平行な折線Ｌ1、Ｌ2により山折と谷折に交互に折り畳まれた箱１Ａを得ることができる。
【００３０】
本発明は種々の態様をとることができる。
例えば、底板５を前面板側底フラップ５ａと背面板側底フラップ５ｂとの貼り合わせにより形成することなく、図６Ａに示す箱１Ｅの展開図のように、一つのシート材料の打ち抜きにより形成することができる。この箱１Ｅの底板５には、底板５と前面板２との連接辺（前面板の底辺２ｑ）の一端を開始端とする折線Ｌ1と、底板５と背面板３との連接辺（背面板の底辺３ｑ）の一端を開始端とする折線Ｌ2とが平行に形成されている。
【００３１】
そこで、この展開図から箱１Ｅを製造する方法としては、図６Ｂに示すように、まず、前面板２に延設された側面板４の面４ｂを折り曲げ、背面板３に延設された側面板４の面４ｂを折り曲げ、前面板２に延設された側面板４ののりしろ片４ｄと背面板３に延設された側面板ののりしろ片４ｄに接着剤１１を塗布し、底板５の折線Ｌ1を底板５の内側面から見て山折し、折線Ｌ2を谷折して図６Ｃに示すように、前面板２と背面板３を対向させ、それにより重なり合うのりしろ片４ｄと側面板の面４ｂとを貼り合わせる。こうして、図１Ａとの箱１Ａと同様の箱であって、底面５が、前面板２や背面板３と一体のシート材料から形成されている箱１Ｅを得ることができる。図７は、この箱１Ｅを組み立てた状態の斜視図（ａ）と底面図（ｂ）である。
【００３２】
図８Ａの箱１Ｆは、上述の図６Ａ〜図６Ｃの箱１Ｅにおいて、底板５に、互いに平行な折線Ｌ1、Ｌ2のはす向かいの端部同士を結ぶ新たな折線Ｌ3を加えたものである。この場合、互いに平行な折線Ｌ1、Ｌ2は、底板５の外側面から見て共に山折とし、新たな折線Ｌ3は谷折とする。この箱１Ｆは、図８Ｂに示すように折り畳まれる。
【００３３】
また、本発明において、底板５に設ける互いに平行な折線Ｌ1、Ｌ2の開始端は、底板５の角隅部に限られず、底板５の側辺（前面板２又は背面板３と連接しない辺）上としてもよいが、組み立てと折り畳みのしやすさや、折り畳んだ状態で前面板２又は背面板３から突出する底板５の大きさをコンパクトにする点から、折線Ｌ1、Ｌ2の開始端は、底板５の角隅部とすることが好ましい。
【産業上の利用可能性】
【００３４】
本発明の箱は、シャンプー、リンス等の製品の包装用の箱として有用である。
【符号の説明】
【００３５】
１Ａ、１Ｂ、１Ｃ、１Ｄ、１Ｅ、１Ｆ  箱
２    前面板
２ｐ  前面板の側辺
２ｑ  前面板の底辺
２ｒ  前面板の上辺
３    背面板
３ｐ  背面板の側辺
３ｑ  背面板の底辺
４    側面板
４ａ、４ｂ、４ｃ    側面板の面
４ｄ  側面板ののりしろ片
５    底板
５ａ  前面板側底フラップ
５ｂ  背面板側底フラップ
５Ｃ  前面板側底フラップの縁辺
６    蓋板
７    差込片
８    背面フラップ
９    窓
１０    透明プラスチックシート
１１    接着剤
３０    内容物
Ｌ1、Ｌ2、Ｌ3    折線
Ｌp    対角線
【図１Ａ】
2012180120.tif 000003
【図１Ｂ】
2012180120.tif 000004
【図１Ｃ】
2012180120.tif 000005
【図２Ａ】
2012180120.tif 000006
【図２Ｂ】
2012180120.tif 000007
【図２Ｃ】
2012180120.tif 000008
【図２Ｄ】
2012180120.tif 000009
【図３Ａ】
2012180120.tif 000010
【図３Ｂ】
2012180120.tif 000011
【図４Ａ】
2012180120.tif 000012
【図４Ｂ】
2012180120.tif 000013
【図４Ｃ】
2012180120.tif 000014
【図５】
2012180120.tif 000015
【図６Ａ】
2012180120.tif 000016
【図６Ｂ】
2012180120.tif 000017
【図６Ｃ】
2012180120.tif 000018
【図７】
2012180120.tif 000019
【図８Ａ】
2012180120.tif 000020
【図８Ｂ】
2012180120.tif 000021